(57)【要約】  付属品装着システム（３０）と、そのようなシステムを含むヘルメット（１０）とが開示される。付属品装着システム（３０）は、ヘルメットの防弾層（１２）の実質的に連続した部分に恒久的に接続されるように構成されたプレート（３２）を含み、防弾層は外面（１４）を有する。プレート（３２）は内面（３４）及び外面（３６）を含み、プレートの内面は、防弾層の外面と接触して配置されるように構成される。付属品装着システムは、プレートに取り外し可能に接続されるように構成された付属品レール（５０）も含み、付属品レールは内面（５２）及び外面（５４）を含む。付属品レールの内面は、プレートと接触して配置されるように構成される。
2020502385.tif 000002
【特許請求の範囲】
【請求項１】
付属品装着システムであって、
ヘルメットの防弾層の実質的に連続した部分に恒久的に接続されるように構成されたプレートであって、前記防弾層は、外面を有し、前記プレートは、内面及び外面を備え、前記プレートの前記内面は、前記防弾層の前記外面と接触して配置されるように構成されている、プレートと、
前記プレートに取り外し可能に接続されるように構成された付属品レールであって、前記付属品レールは内面及び外面を備え、前記付属品レールの前記内面は、前記プレートと接触して配置されるように構成されている、付属品レールと、
を備える、付属品装着システム。
【請求項２】
前記プレートは、前記ヘルメットの厚さを貫通しない取り付け要素によって、前記ヘルメットの前記防弾層の前記実質的に連続した部分に恒久的に接続されるように構成されている、請求項１に記載のシステム。
【請求項３】
前記取り付け要素は、永久接着剤を備える、請求項２に記載のシステム。
【請求項４】
前記取り付け要素は、前記ヘルメットの前記防弾層の厚さよりも小さい長さを有するねじ山付きねじを備える、請求項２又は３に記載のシステム。
【請求項５】
前記取り付け要素は、前記ヘルメットの前記防弾層の厚さよりも小さい長さを有する返しを備える、請求項２〜４のいずれか一項に記載のシステム。
【請求項６】
前記付属品レールの溝に係合し、かつ前記付属品レールに付属品を接続するように構成された付属品マウントを更に備える、請求項１〜５のいずれか一項に記載のシステム。
【請求項７】
前記付属品レールは、前記付属品レールの前記内面に配置された凹部を備え、前記凹部は、前記プレートを受け入れるように構成されている、請求項１〜６のいずれか一項に記載のシステム。
【請求項８】
前記付属品レールは、前記付属品レールを通して配置されたねじ孔及び前記プレートに配置されたボスを通して挿入されるねじ山付きねじにより前記プレートに接続されており、前記プレートに配置された前記ボスは、前記ボスが前記プレートの前記内面まで延在しないように、前記プレートの厚さよりも小さい深さを有する、請求項１〜７のいずれか一項に記載のシステム。
【請求項９】
前記プレートは、前記付属品レールの前記内面に配置されたタブを摺動式に受容するように構成されたスロットを備える、請求項１〜８のいずれか一項に記載のシステム。
【請求項１０】
ヘルメットであって、
内面及び外面を備える防弾層と、
プレート及び前記プレートに取り外し可能に接続された付属品レールを備える付属品装着システムであって、前記プレートは内面及び外面を備え、前記プレートの前記内面は、前記防弾層の実質的に連続した部分に取り付け要素によって恒久的に接続され、前記付属品レールは内面及び外面を備え、更に、前記付属品レールが前記プレートに接続されるときに、前記付属品レールの前記内面が前記プレートと接触する、付属品装着システムと、
を備えるヘルメット。
【請求項１１】
前記取り付け要素は、前記防弾層の前記内面を貫通しない、請求項１０に記載のヘルメット。
【請求項１２】
前記取り付け要素は、接着剤又はねじ山付きねじを備える、請求項１０に記載のヘルメット。
【請求項１３】
前記付属品レールの溝に解放可能に接続された付属品マウントと、前記付属品マウントに解放可能に接続された付属品とを更に備える、請求項１０〜１２のいずれか一項に記載のシステム。
【請求項１４】
前記付属品は、付属品保持力により前記付属品マウントに保持されており、
前記付属品保持力は付属品最大保持力を超えず、前記付属品マウントは、マウント保持力により前記付属品レールに保持されており、前記付属品レールは、レール保持力により前記プレートに保持されており、前記付属品保持力は前記マウント保持力よりも小さく、更に、前記マウント保持力は前記レール保持力よりも小さい、請求項１３に記載のシステム。
【請求項１５】
前記プレートは、プレート保持力により前記ヘルメットに保持されており、前記レール保持力は前記プレート保持力よりも小さい、請求項１４に記載のシステム。
【請求項１６】
ヘルメットの防弾層の外面にプレートを接続することと、
前記プレートに付属品レールを接続することと、
前記付属品レールに付属品を接続することと、
前記付属品レールから前記付属品を取り外すことと、
前記付属品レールを前記ヘルメットの防弾層の外面と直交する方向に移動させることにより、前記プレートから前記付属品レールを取り外すことと
を含む方法。
【請求項１７】
ヘルメットの防弾層の部分を露出させる開口を備えるテンプレートを、前記防弾層の外面に配置することと、
前記テンプレートの前記開口を通して、前記防弾層の露出した部分に接着剤を配置することと、
前記接着剤を利用して前記防弾層の前記露出した部分にプレートを接続することと、
前記プレートに圧力を加えることと、
前記プレートが前記ヘルメットの前記防弾層に恒久的に取り付けられるように、前記接着剤を硬化させることと
を含む方法。
【請求項１８】
付属品装着システムキットであって、
ヘルメットの防弾層の外面に配置されるように構成されたテンプレートであって、前記ヘルメットの前記防弾層の実質的に連続した部分を露出させるように構成された開口を備えるテンプレートと、
接着剤と、
前記ヘルメットの前記防弾層の前記実質的に連続した部分を洗浄するように構成された表面洗浄成分と、
前記ヘルメットの前記防弾層の前記実質的に連続した部分を研磨するように構成された研磨要素と、
前記ヘルメットの前記防弾層の前記実質的に連続した部分に恒久的に接続されるように構成されたプレートと、
前記プレートに取り外し可能に接続されるように構成された付属品レールと、
前記プレートが前記ヘルメットの前記防弾層の前記実質的に連続した部分に接続されるときに、前記ヘルメットに接続され、かつ前記プレートに圧力を加えるように構成された固定プレートと
を備える、付属品装着システムキット。
【発明の詳細な説明】
【背景技術】
【０００１】
懐中電灯又はカメラ等の１つ以上の付属品を支持する、例えば、軍事用途及び警察用途に利用されるヘルメット等のヘッドギアが開発されてきた。これらの付属品は、着用者が様々なタスクを実行するのを支援することができる。例えば、着用者が近辺をより容易に見ることを可能にするために、懐中電灯を利用することができる。多くの場合、懐中電灯又は他の付属品の位置を調節する必要又は付属品を取り外し、別の付属品と交換する必要があることがある。更に、２つ以上の付属品を同時に利用する必要があることがある。付属品が必要とされないとき、そのような付属品を取り外すことにより、ヘッドギアの重量を減らすことができる。
【０００２】
ヘルメット又はヘッドギアに対する付属品の取り付け及び取り外しをより容易にするために、ヘルメットに接続できる様々な装着システムが開発されてきた。そのようなシステムは、付属品に取り付けられたマウントを内部に配置できるレール又は溝を含むことが多い。レールは、着用者がヘルメットに対して付属品を調節することを可能にすることができる。レールは典型的には、ヘルメットを貫通する１つ以上の孔を空け、ヘルメットの内部空間内に配置されたナットでヘルメットに固定されるボルトをレール及びヘルメットを通して挿入することにより、ヘルメットに装着される。レールをヘルメットに取り付けるこの方法は堅牢となり得るが、ヘルメットに空けられた１つ以上の孔は、ヘルメットを脆弱にすることがある。更に、ヘルメットが防弾事象に遭遇するときに、ボルト及びナットの一方又は両方が、着用者の頭部に衝撃を与え得る二次的な弾丸となることがある。
【０００３】
これらの懸念に対処するために、いくつかのヘルメットは、ヘルメットの外面に成形できる、非防弾材料から成る１つ以上のボスを含む。ボス内に導かれたセルフタッピングねじにより付属品レールをボスに取り付けることができる。しかし、この設計は、ねじによってボスに形成された（又は予め形成された）ねじ山が潰されてしまう傾向があるので、ヘルメットに対するレールの反復的な取り外し及び再取り付けを可能にすることはできない。ねじ山が潰されると、ボスはもはやレールを定位置に保持せず、ヘルメット全体を廃棄する必要がある。
【発明の概要】
【０００４】
一般的に、本開示は、付属品装着システム及びそのようなシステムを含むヘルメットの様々な実施形態を提供する。付属品装着システムは、プレートと、プレートに取り外し可能に接続されるように構成された付属品レールとを含むことができる。プレートは、ヘルメットを貫通する孔を配置したり、ヘルメット内に成形ボスを形成したりする必要なく、ヘルメットに接続することができる。１つ以上の実施形態において、プレートは、ヘルメットの防弾層の実質的に連続した部分に恒久的に接続されるように構成される。
【０００５】
一態様において、本開示は、ヘルメットの防弾層の実質的に連続した部分に恒久的に接続されるように構成されたプレートを含む付属品装着システムを提供し、防弾層は、外面を含む。プレートは内面及び外面を含み、プレートの内面は、防弾層の外面と接触して配置されるように構成される。付属品装着システムは、プレートに取り外し可能に接続されるように構成された付属品レールも含み、付属品レールは内面及び外面を含む。付属品レールの内面は、プレートと接触して配置されるように構成される。
【０００６】
別の態様において、本開示は、内面及び外面を有する防弾層と、プレート及びプレートに取り外し可能に接続される付属品レールを含む付属品装着システムと、を含むヘルメットを提供する。プレートは内面及び外面を含み、プレートの内面は、防弾層の実質的に連続した部分に取り付け要素によって恒久的に接続される。付属品レールは内面及び外面を含む。更に、付属品レールの内面は、付属品レールがプレートに接続されるときにプレートと接触する。
【０００７】
別の態様において、本開示は、ヘルメットの防弾層の外面にプレートを接続することと、プレートに付属品レールを接続することと、付属品レールに付属品を接続することとを含む方法を提供する。本方法は、付属品レールから付属品を取り外すことと、付属品レールをヘルメットの防弾層の外面と直交する方向に移動させることにより、プレートから付属品レールを取り外すこととを更に含む。
【０００８】
別の態様において、本開示は、ヘルメットの防弾層の外面にテンプレートを配置することであって、テンプレートが、防弾層の一部分を露出させる開口を含む、ことと、テンプレートの開口を通して防弾層の露出した部分に接着剤を配置することと、接着剤を利用してプレートを防弾層の露出した部分に接続することとを含む方法を提供する。本方法は、プレートに圧力を加えることと、プレートがヘルメットの防弾層に恒久的に取り付けられるように、接着剤を硬化させることとを更に含む。
【０００９】
別の態様において、本開示は、ヘルメットの防弾層の外面に配置されるように構成されたテンプレートを含む付属品装着システムキットであって、テンプレートが、ヘルメットの防弾層の実質的に連続した部分を露出させるように構成された開口を含む、付属品装着システムキットを提供する。キットは、接着剤と、ヘルメットの防弾層の実質的に連続した部分を洗浄するように構成された表面洗浄成分と、ヘルメットの防弾層の実質的に連続した部分を研磨するように構成された研磨要素とを更に含む。キットは、ヘルメットの防弾層の実質的に連続した部分に恒久的に接続されるように構成されたプレートと、プレートに取り外し可能に接続されるように構成された付属品レールと、プレートがヘルメットの防弾層の実質的に連続した部分に接続されるときに、ヘルメットに接続され、かつプレートに圧力を加えるように構成された固定プレートとを更に含む。
【００１０】
本明細書に記載される全ての見出しは読者の利便性のためのものであって、特に断りのない限り、見出しの後に続く文面の意味を限定するために使用されるものではない。
【００１１】
用語「備える（comprises）」及びその変化形は、これらの用語が本明細書及び特許請求の範囲において現れる場合、限定的な意味を有しない。このような用語は、記載されたある１つの工程若しくは要素、又は複数の工程若しくは要素の群が包含されることを意味し、いかなる他の工程若しくは要素、又は複数の工程若しくは要素の群も排除されないことを意味するものと理解される。用語「〜からなる（consisting of）」とは、「含むこと」を意味し、「〜からなる（consisting of）」という句に続くものに限定される。それゆえ、語句「〜からなる」とは、列挙された要素が必要又は必須のものであり、他の要素が存在し得ないことを示す。用語「〜から本質的になる（consisting essentially of）」とは、その語句の後に列挙されたあらゆる要素を含むことを意味し、その列挙された要素に関して本開示で明記された活動若しくは作用に干渉又は寄与しない、他の要素に限定される。したがって、語句「から本質的になる」は、列挙された要素が必要又は必須であるが、他の要素は任意に含まれ、列挙された要素の作用若しくは機能に実質的に影響を及ぼすか否かに応じて存在してもよい、又は、しなくてもよいことを意味する。
【００１２】
「好ましい」及び「好ましくは」という語は、特定の状況下で特定の恩恵を与える得る本開示の実施形態について言及するが、同じ又は他の状況下では、他の実施形態が好ましいこともある。更には、１つ以上の好ましい実施形態の記載は、他の実施形態が有用ではないことを示唆するものではなく、本開示の範囲から他の実施形態を排除することを意図するものではない。
【００１３】
本出願では、「ａ」、「ａｎ」、及び「ｔｈｅ」等の用語は、単数の実体のみを指すことを意図するものではなく、例示のために具体例が使用され得る一般的な部類を含むことを意図するものである。用語「ａ」、「ａｎ」、及び「ｔｈｅ」は、用語「少なくとも１つの」と交換可能に使用される。列挙が後続する「〜のうちの少なくとも１つ」及び「〜のうちの少なくとも１つを含む」という語句は、列挙内の項目のうちのいずれか１つ、及び、列挙内の２つ以上の項目の任意の組み合わせを指す。
【００１４】
列挙が後続する「〜のうちの少なくとも１つ」及び「〜のうちの少なくとも１つを含む」という語句は、列挙内の項目のうちのいずれか１つ、及び、列挙内の２つ以上の項目の任意の組み合わせを指す。
【００１５】
本明細書で使用する場合、用語「又は」は、内容がそうでない旨を特に明示しない限り、概して「及び／又は」を含む通常の意味で使用される。
【００１６】
用語「及び／又は」は、列挙された要素のうちの１つ若しくは全て、又は列挙された要素のうちの任意の２つ以上の組み合わせを意味する。
【００１７】
本明細書において、測定された量に関連して使用するとき、用語「約（about）」は、測定を行い、測定の目的及び使用した測定装置の精度に対応した水準の注意を払った当業者によって予測されるであろう、測定された量のばらつきを指す。本明細書において、「最大で」ある数字（例えば、最大で５０）は、その数字（例えば、５０）を含む。
【００１８】
また、本明細書では、端点による数値範囲の記載は、その範囲内に包含される全ての数及びその端点を含む（例えば、１〜５は、１、１．５、２、２．７５、３、３．８０、４、５などを含む）。
【００１９】
本開示のこれらの態様及び他の態様は、以下の「発明を実施するための形態」から明らかとなるであろう。しかしながら、上記の概要は、いかなる場合であっても、特許請求される主題に対する限定として解釈されるべきではなく、その主題は、添付の「特許請求の範囲」によってのみ定義されるものであるが、手続きの過程で補正される場合もある。
【図面の簡単な説明】
【００２０】
本明細書の全体を通じて添付の図面を参照するが、図中、同様の参照符号は、同様の要素を示す。
【図１】付属品装着システム及び第２の付属品装着システムを含むヘルメットの概略正面図である。
【図２】図１のヘルメット及び付属品装着システムの概略部分分解図である。
【図３】図１のヘルメット及び付属品装着システムの概略上面図である。
【図４】図１の付属品装着システムのプレートの概略正面斜視図である。
【図５】図４のプレートの概略背面斜視図である。
【図６】図１の付属品装着システムの付属品レールの概略正面図である。
【図７】図６の付属品レールの概略背面図である。
【図８】図１の付属品装着システム及び第２の付属品装着システムの少なくとも一方に接続できる付属品マウントに接続された付属品の概略斜視図である。
【図９】付属品装着システムをヘルメットに接続する方法の一実施形態のフローチャートである。
【図１０】図１の付属品装着システムのプレート及び付属品レールを含む付属品装着システムキットの概略平面図である。
【図１１】図１の付属品装着システムのプレートを図１のヘルメットに接続する方法の一実施形態のフローチャートである。
【発明を実施するための形態】
【００２１】
一般的に、本開示は、付属品装着システム及びそのようなシステムを含むヘルメットの様々な実施形態を提供する。付属品装着システムは、プレートと、プレートに取り外し可能に接続されるように構成された付属品レールとを含むことができる。プレートは、ヘルメットを貫通する孔又は成形ボスを形成する必要なく、ヘルメットに接続することができる。１つ以上の実施形態において、プレートは、ヘルメットの防弾層の実質的に連続した部分に恒久的に接続されるように構成される。
【００２２】
本明細書に記載される付属品装着システムの様々な実施形態は、１つ以上の利点をもたらし得る。例えば、付属品装着システムの１つ以上の実施形態は、ヘルメットに貫通孔を配置又は形成し、貫通孔を使用してシステムのレールをヘルメットにボルト留めする必要なく、ヘルメットに接続することができる。貫通孔及びボルトが存在しないことにより、付属品装着システムの接続部からヘルメットへのそのようなボルト及びナットがもはやヘルメットの内部空間内に配置されないので、ヘルメットの防弾完全性を維持し、かつボルト及びナットが潜在的な二次的な衝撃要素になることを無くすのを支援することができる。更に、システムの付属品レールは、ヘルメットの防弾層に形成された任意のねじ山付きボスを潰すことなく、レールを取り外し、再取り付け又は交換できるように、プレートに取り付けることができる。
【００２３】
本明細書に記載される様々な付属品装着システムは、任意の好適な接続インターフェースを利用して付属品をヘルメットに接続するために利用することができる。例えば、１つ以上の実施形態において、付属品装着システムは、付属品に接続されたピカティニマウントを受けるように構成されたピカティニレール又はタクティカルレールを含むことができる。一般的に、ピカティニレールは、ＭＩＬ−ＳＴＤ−１９１３レール、ＳＴＡＮＡＧ（Standardization Agreement）２３２４レール、又はタクティカルレールとしても知られ、平坦な間隔スロットが点在したＴ字形断面を有する一連の隆起部を含むブラケットである。付属品は、例えば、一方又は他方の端部からそれらを摺動させることにより、レールにクランプされたウェーバマウントにより、又は付属品を隆起部同士の間のスロットに接続することにより、レールに装着することができる。各スロットは、０．２０６インチ（５．２３ｍｍ）の幅を有することができる。更に、スロットは、０．３９４インチ（１０．０１ｍｍ）の中心間間隔、及び０．１１８インチ（３．００ｍｍ）のスロット深さを有することができる。ＭＩＬ−ＳＴＤ−１９１３（１９９５）、「Ｄｉｍｅｎｓｉｏｎｉｎｇ  ｏｆ  Ａｃｃｅｓｓｏｒｙ  Ｍｏｕｎｔｉｎｇ  Ｒａｉｌ  ｆｏｒ  Ｓｍａｌｌ  Ａｒｍｓ  Ｗｅａｐｏｎｓ」を参照されたい。更に、本明細書に記載される付属品装着システムの１つ以上の実施形態は、ピカティニマウントに配置された標準デバイス及び付属品の接続部を戦闘ヘルメット又は他の種類のヘッドギア上の付属品レールに取り付けることを可能にすることができる。本明細書に記載される付属品装着システムの１つ以上の実施形態を利用して、例えば、懐中電灯、カメラ、銃照準器、暗視用ゴーグル、保護フェースシールド等の任意の好適な付属品をレールに接続することができる。
【００２４】
図１〜図３は、ヘルメット１０の一実施形態の様々な図である。ヘルメット１０は、防弾層１２と、防弾層の外面１４に配置された付属品装着システム３０とを含む。１つ以上の実施形態において、ヘルメット１０は、防弾層１２の外面１４に配置された第２の付属品装着システム３１も含むことができる。本明細書に記載される付属品装着システム３０の様々な要素及び特徴の説明は、第２の付属品装着システム３１に等しく当てはまる。２つの付属品装着システム３０、３１を含むように示されるが、ヘルメット１０は、防弾層の外面１４の任意の好適な１又は複数の位置に配置された任意の好適な数の付属品装着システム、例えば、１つ、２つ、３つ、４つ、又はそれ以上の付属品装着システムを含むことができる。更に、付属品装着システム３０は、第２の付属品装着システム３１と同じであってもよく、又は異なっていてもよい。
【００２５】
付属品装着システム３０は、防弾層１２の外面１４の任意の好適な位置に配置することができる。図１〜図３に示される実施形態において、付属品装着システム３０は、ヘルメット１０の着用者から見て防弾層１２の左側部分１８に配置される。同様に、第２の付属品装着システム３１は、防弾層１２の任意の好適な位置に配置することができる。図示のように、第２の付属品装着システム３１は、防弾層１２の右側部分２０に配置される。１つ以上の実施形態において、付属品装着システム３０、３１の一方又は両方は、防弾層１２の前部分２２、上部分２４、又は後部分２６（図３）に配置することができる。
【００２６】
ヘルメット１０は、任意の好適な材料又は組み合わせ材料を有する任意の好適なヘルメットを含むことができる。更に、ヘルメット１０は、任意の好適な数の層を含むこともできる。１つ以上の実施形態において、ヘルメット１０は、ヘルメットシェルと、シェルに配置された防弾層１２とを含むことができる。防弾層１２は、例えば、熱可塑性樹脂、Ｋｅｖｌａｒ、炭素繊維等の任意の好適な材料又は材料の組み合わせを含むことができる。防弾層１２は、任意の好適な厚さ又は厚さの組み合わせを有することができる。更に、防弾層１２は、連続的な厚さを有することができる。１つ以上の実施形態において、防弾層１２は、ヘルメット１０の１つ以上の部分において変化する厚さを有することができる。防弾層１２は、防弾層１２の外面１４がヘルメットの最外層となるように、ヘルメット１０の最外層とすることができる。１つ以上の実施形態において、ヘルメット１２は、ヘルメットの最外面が追加の層によって実現されるように、防弾層１２の上に配置される追加の層を含むことができる。
【００２７】
１つ以上の実施形態において、ヘルメット１０及び防弾層１２の少なくとも一方は、複合材を含むことができる。複合材は２つ以上の材料を含むものと典型的に理解されるが、本明細書においてヘルメット１０及び防弾層１２に関して理解されるとき、複合材は、積層され、熱、圧力、接着剤、マトリックス材料、又はそれらの組み合わせを用いて一体にまとめられた１つ以上の材料から成る複数の層を含む。１つ以上の実施形態において、複合材は、織布若しくは不織布又はフィルムを含む。本明細書において用いられるとき、布は、限定するものではないが、ＤＳＭから入手可能なＤＹＮＥＥＭＡ又はＨｏｎｅｙｗｅｌｌから入手可能なＳＰＥＣＴＲＡなどの超高分子量ポリエチレン（ultra−high molecular weight polyethylene、ＵＨＭＷＰＥ）、ＤｕＰｏｎｔから入手可能なＫＥＶＬＡＲ又はＴｅｉｊｉｎ−Ａｒａｍｉｄから入手可能なＴＷＡＲＯＮなどのパラアラミド材料、ポリアミド、ポリエステル、又はこれらの組み合わせなどの材料を含む繊維又は糸で形成される。積層体内には、１〜１００（そのうちの全ての値及び範囲を含む）（ヘルメットの場合、８〜１００がより一般的である）層の布又はフィルムが含まれてもよい。
【００２８】
１つ以上の実施形態において、ヘルメット１０及び防弾層１２の少なくとも一方を形成するための繊維は、１．２０グラム／立方センチメートル未満の密度を示す比較的低密度の繊維（ＵＨＭＷＰＥ等）、及び最大１．６０グラム／立方センチメートル（０．８０グラム／立方センチメートル〜１．６０グラム／立方センチメートルのうちの全ての値及び範囲を含む）の密度を示す比較的高密度の繊維（Ｋｅｖｌａｒ等）を含むことができる。繊維は、２．５％超及び最大５％の範囲（３％〜５％等、そのうちの全ての値及び範囲を含む）の破断伸びを示してもよい。加えて、繊維は、ひずみの生じていない試験片の単位線密度当たりの力として理解される、２５ｇｐｄ〜５０ｇｐｄ等の２５ｇｐｄ超（２５ｇｐｄ〜４５ｇｐｄ等、そのうちの全ての値及び範囲を含む）の引っ張り強さを示してもよい。繊維の弾性率は、内部の全ての値及び範囲を含む、６００ｇｐｄ〜２５００ｇｐｄの範囲内であってもよい。繊維は上述の特性のうちの任意の２つ以上の組み合わせを呈することもできる。
【００２９】
ヘルメット１０に関連して、上述の特性の１つ以上を示す繊維は、ヘルメットシェルの総重量の、５０重量％〜１００重量％のうちの全ての値及び範囲（７５重量％〜９５重量％、８０重量％〜１００重量％、９０重量％〜１００重量％のうちの全ての値及び範囲を含む）等を含む、５０重量％以上を形成してもよい。上述および更に後述の特性は、例えば、ＡＳＴＭ−Ｄ６３８−１０、ＡＳＴＭ  Ｄ３８２２−０７、ＡＳＴＭ  Ｄ３２１７−０７、ＡＳＴＭ  Ｃ１５５７−０３及びそれらの組み合わせ等のＡＳＴＭ試験プロトコルによって測定され得る。
【００３０】
１つ以上の実施形態において、ヘルメット１０は、防弾ヘルメットシェルであると理解され、０°で３００メートル／秒以上（例えば３００〜１１００メートル／秒等、そのうちの全ての値及び範囲を含む）のＶ５０を示す。Ｖ５０は、ＭＩＬ  ＳＴＤ−６６２ＦＶ５０（１９９７）に記載されており、それに従って試験されるなどする、発射された弾丸の５０％が、所与の粒片サイズの基板（本例では、１７の粒度のＦＳＰ鋼片）を通り抜ける、又は貫通し得る速度として理解される。ヘルメット及びヘルメットシェルの諸実施形態は、Ｃｅｒａｄｙｎｅ、Ｉｎｃ．，Ｃｏｓｔａ  Ｍｅｓａ，ＣＡから入手可能な高性能戦闘ヘルメットを含み得る。
【００３１】
図示されていないが、ヘルメット１０は、ヘルメットの内部空間１１に配置された固定システムを含むことができる。任意の好適な固定システムを利用することができる。１つ以上の実施形態において、固定システムは、ヘルメットを着用者の頭上に維持するように構成された顎ストラップを含むことができる。更に、固定システムは、任意の好適な技法又は技法の組み合わせを利用して、ヘルメットの内面１６に接続することができる。
【００３２】
ヘルメット１０は、任意の好適な１つ又は複数の付属品装着システムを含むことができる。図２に示されるように、付属品装着システム３０は、プレート３２と、プレートに取り外し可能に接続されるように構成された付属品レール５０とを含むことができる。少なくとも１つの実施形態において、プレート３２は、ヘルメット１０の防弾層１２の実質的に連続した部分に恒久的に接続されるように構成することができる。本明細書において使用する場合、用語「実質的に連続した部分」は、ヘルメット１０の防弾層１２のうち何らかの中断部又は何らかの貫通孔を含まない１つ又は複数の部分を意味する。例えば、付属品装着システム３０のレール３２は、防弾層１２の左側部分１８に接続され、防弾層の左側部分は、何らかの中断部又は貫通孔を含まない。換言すれば、レール３２は、防弾層を貫通してヘルメットの内部空間１１に入ることなく防弾層１２に装着される。防弾層１２の実質的に連続した部分は、ヘルメット上又はヘルメット内の任意の好適な１つ又は複数の位置に配置することができる。１つ以上の実施形態において、防弾層１２の実質的に連続した部分は、防弾層の側部分（例えば、左側部分１８又は右側部分２０）、前部分２２、上部分２４、及び後部分２６のうちの１つ以上を含む。
【００３３】
付属品装着システム３０のプレート３２は、任意の好適な形状又は形状の組み合わせをとることができ、任意の好適な寸法を有することができる。例えば、図２に示されるように、プレート３２は、防弾層のうちプレートに接続された部分の法線と直交する平面において実質的に矩形の形状をとる。
【００３４】
更に、プレート３２は、例えば、金属、ポリマー、セラミック材料等の任意の好適な材料又は材料の組み合わせを含むことができる。１つ以上の実施形態において、プレート３２は剛性である。本明細書において使用する場合、用語「剛性」とは、ＡＳＴＭ  Ｅ１１１−０４（２０１０）によって測定したときに、プレートが少なくとも０．１ＧＰａ及び１０００ＧＰａ以下の弾性率（ヤング率）を有することを意味する。プレート３２は、例えば、射出成形、アディティブ法（例えば、融合堆積モデリング及びステレオリソグラフィ等の３Ｄ印刷）、及びサブトラクティブ法（例えば、機械加工）等の任意の好適な技法又は技法の組み合わせを使用して製造することができる。
【００３５】
図４〜図５は、付属品装着システム３０のプレート３２の様々な斜視図である。プレート３２は内面３４及び外面３６を含む。プレート３２の内面３４は、図２に示されるようにヘルメット１０と接触して配置されるように構成される。本明細書において言及されるように、プレート３２は、任意の好適な形状又は形状の組み合わせをとることができる。例えば、図４に示されるように、プレート３２の外面３６は、ヘルメットの外面と直交する平面において実質的に平坦な形状をとることができる。更に、図５に示されるように、プレート３２の内面３４は、外面３６と直交する平面において湾曲した形状をとることができる。内面３４の形状は、防弾層１２の外面１４の少なくとも一部の形状に合致するように構成された形状をとることができる。１つ以上の実施形態において、プレート３２は、ヘルメット１０の左側部分１８又は右側部分２０に接続されるように構成される。１つ以上の実施形態において、プレート３２は、ヘルメット１０の前部分２２に接続されるように構成される。１つ以上の実施形態において、プレート３２は、ヘルメット１０の上部分２４に接続されるように構成される。更に、１つ以上の実施形態において、プレート３２は、ヘルメットの後部分２６に接続されるように構成される。
【００３６】
プレート３２は、第１のボス３８及び第２のボス４０も含む。第１及び第２のボス３８、４０は、本明細書に更に記載されるように、付属品レール５０をプレート３２に取り付けるために利用されるボルト又は他の取り付け機構を受けるように構成される。２つのボス３８、４０を含むように示されるが、プレート３２は、任意の好適な数のボスを含むことができる。ボス３８、４０は、任意の好適な形状をとることができ、任意の好適な寸法を有することができる。１つ以上の実施形態において、プレート３２に配置されたボス３８、４０の少なくとも一方は、ボスがプレートの内面３４まで延在しないように、プレートの厚さよりも小さい深さを有する。更に、ボス３０、４０の一方又は両方は、レール５０をプレート３２に取り付けるために利用されるボルト又は他の取り付け機構に対応するねじ山をボスの内面に含むことができる。
【００３７】
１つ以上の実施形態において、プレート３２は、レールがプレートと摺動可能に係合できるように、レール５０の内面５２に配置されたタブを受けるように構成された、スロット又は溝を外面３６に含むことができる。
【００３８】
本明細書において言及されるように、プレート３２は、ヘルメット１０の防弾層１２の実質的に連続した部分に恒久的に接続されるように構成される。１つ以上の実施形態において、プレート３２は、ヘルメットの厚さを貫かない取り付け要素を利用して、ヘルメット１０の防弾層１２の実質的に連続した部分に恒久的に接続されるように構成される。任意の好適な技法又は技法の組み合わせを利用して、プレート３２をヘルメット１０の防弾層１２の実質的に連続した部分に接続することができる。１つ以上の実施形態において、取り付け要素は恒久的な接着剤を含むことができる。例えば、感圧接着剤（アクリレート、シリコーン、メタクリレート）、テープ、構造化接着剤（エポキシ）等、任意の好適な接着剤又は接着剤の組み合わせを利用することができる。１つ以上の実施形態において、取り付け要素は、ヘルメット１０の防弾層１２の厚さよりも小さい長さをそれぞれ有する１つ以上のねじ山付きねじ又は返しを含むことができる。ねじ山付きねじは、プレートをヘルメット１０に恒久的に接続できるように、プレート３２に形成された貫通孔に挿入することができる。
【００３９】
付属品装着システム３０は、付属品レール５０を更に含む。付属品レール５０は、任意の好適な付属品レールを含むことができる。付属品レール５０は、プレート３２に取り外し可能に接続されるように構成される。本明細書において使用する場合、用語「取り外し可能に接続される」は、プレート又は付属品レールのいずれかの完全性を損なうことなく、付属品レールを少なくとも１回以上プレート３２に接続し、プレートから切り離せることを意味する。
【００４０】
付属品レール５０は、任意の好適な形状又は形状の組み合わせをとることができ、任意の好適な寸法を有することができる。例えば、図６〜図７は、図１の付属品装着システム３０の付属品レール５０の様々な図である。付属品レール５０は内面５２及び外面５４を含む。レール５０の内面５２は、プレート３２と接触して配置されるように構成される。例えば、付属品レール５０は、内面５２に配置された凹部５６を含み、凹部は、図３に示されるように、プレートが凹部５６内に嵌まり、かつ付属品レール５０が防弾層１２の外面１４と接触するように、プレート３２を受けるように構成される。
【００４１】
レール５０の内面５２は、任意の適切な形状又は形状の組み合わせをとることができる。１つ以上の実施形態において、レール５０の内面５２は、防弾層１２の外面１４と直交する平面において湾曲した形状をとることができる。１つ以上の実施形態において、レール５０の内面５２は、防弾層１２の外面１４の１つ以上の部分に合致するような形状をとることができる。１つ以上の実施形態において、内面５２は、ヘルメット１０の側面（左又は右１８、２０）、前面２２、上面２４、及び後面２６のうちの１つ以上に合致する形状をとることができる。
【００４２】
付属品レール５０の外面５４も、防弾層１２の外面１４と直交する平面において任意の好適な形状又は形状の組み合わせをとることができる。図６に示される実施形態において、レール５０の外面５４に配置された溝６２は、直線形状をとり、外面の端部は、外面と直交する平面において湾曲した形状をとる。
【００４３】
付属品レール５０は、任意の好適な技法又は技法の組み合わせを使用してプレート３２に接続することができる。１つ以上の実施形態において、付属品レール５０は、プレート３２に摩擦嵌めされ、よって、２つの要素が共にスナップ嵌めされるように構成することができる。付属品レール５０は、第１の貫通孔５８及び貫通孔６０を更に含む。各貫通孔５８、６０は、レール５０の内面５２と外面５４との間に配置される。２つの貫通孔５８、６０を含むように示されるが、付属品レール５０は、任意の好適な数の貫通孔を含むことができる。１つ以上の実施形態において、貫通孔５８、６０は、レールがプレートに接続されるとき、プレート３２のボス３８、４０と位置合わせされる。貫通孔５８、６０は、任意の好適な形状又は形状の組み合わせをとることができ、任意の好適な寸法を有することができる。更に、貫通孔５８、６０は、レールがプレートに取り外し可能に接続されるように、貫通孔を通って配置され、かつプレート３２のボス３８、４０によって受けられる、ねじ又はボルトを受けるように構成される。
【００４４】
本明細書において言及されるように、付属品レール５０は、任意の好適な付属品レールとすることができる。図６に示されるように、付属品レール５０は、「ＡＣＣＥＳＳＯＲＹ  ＭＯＵＮＴＩＮＧ  ＤＥＶＩＣＥ  ＡＮＤ  ＳＹＳＴＥＭ  ＵＳＩＮＧ  ＳＡＭＥ」と題する、同一出願人による米国仮特許出願第６２／２３９，４９７号に更に記載されるように、付属品を付属品レールに接続するために利用できる付属品マウントを受容するように構成された溝６２を含む。
【００４５】
例えば、図８は、付属品マウント７２に接続された付属品７０の一実施形態の概略斜視図である。付属品マウント７２は、付属品レール５０の溝６２に係合し、かつ付属品７２を付属品レールに取り外し可能に接続するように構成することができる。付属品７０は、例えば、懐中電灯、カメラ、銃照準器、暗視用ゴーグル、保護フェースシールド等の任意の好適な付属品又は付属品の組み合わせを含むことができる。１つ以上の実施形態において、付属品７０は、マウントを異なる付属品と共に利用できるように、付属品マウント７２に解放可能に接続される。更に、１つ以上の実施形態において、付属品マウント７２は、レールの溝６２に沿った付属品レール５０上の付属品７０の位置の調節を可能にするように構成される。
【００４６】
ユーザは、マウントがレール５０に対して所望の位置に配置されると、任意の好適な技法又は技法の組み合わせを使用して付属品７０をマウント７２に取り付けることができる。１つ以上の実施形態において、ユーザはまず、マウントを付属品レール５０に接続する前に付属品７０をマウント７２に取り付けることができる。ユーザは次いで、付属品７０が装着されたマウント７２をレール５０の溝６２内に摺動させ、溝に沿った任意の所望の位置に付属品を位置決めすることができる。
【００４７】
本明細書において言及されるように、付属品レール５０は、例えば、金属、ポリマー、セラミック材料等の任意の好適な材料又は材料の組み合わせを含むことができる。１つ以上の実施形態において、付属品レール５０は剛性であり、例えば、付属品レールは、ＡＳＴＭ  Ｅ１１１−０４（２０１０）を用いて測定したときに、少なくとも０．１ＧＰａ及び１０００ＧＰａ以下の弾性率（ヤング率）を有する。付属品レール５０は、例えば、射出成形、アディティブ法（例えば、融合堆積モデリング及びステレオリソグラフィ等の３Ｄ印刷）、及びサブトラクティブ法（例えば、機械加工）等の任意の好適な技法又は技法の組み合わせを使用して製造することができる。
【００４８】
付属品レール５０は、任意の好適な１つ又は複数の技法を使用して、プレート３２に接続し、プレートから切り離すことができる。例えば、図９は、付属品レール５０をヘルメット１０に接続する及びヘルメットから切り離すために利用できる一方法２００のフローチャートである。図１のヘルメット１０に関して記載されるが、方法２００は、任意の好適なヘルメット及び付属品装着システムと共に利用することができる。２０２にて、プレート３２は、任意の好適な１つ又は複数の技法を使用して、ヘルメット１０の防弾層１２の外面１４に接続される。例えば、１つ以上の実施形態において、プレート３２は、任意の好適な接着剤を使用して外面１４に接着することができる。
【００４９】
付属品レール５０は、２０４にて任意の好適な１つ又は複数の技法を使用してプレート３２に接続することができる。１つ以上の実施形態において、レール５０は、貫通孔５８、６０及びボス３８、４０に挿入される１つ以上のねじ山付きねじ又はボルトを使用してプレート３２に接続することができる。付属品７０は、２０６にて任意の好適な１つ又は複数の技法を使用して付属品レール５０に接続することができる。例えば、１つ以上の実施形態において、付属品７０は、付属品マウント７２に接続することができ、付属品マウントは次いで、付属品レール５０の溝６２に接続される。２０８にて、付属品７０は、任意の好適な１つ又は複数の技法を使用して付属品レール５０から取り外すことができる。１つ以上の実施形態において、付属品７０は、２１０にてレールがプレート３２から取り外されるときに、付属品レール５０に接続されたままとすることができる。付属品レール５０は、任意の好適な１つ又は複数の技法を使用してプレート３２から取り外すことができる。１つ以上の実施形態において、１つ以上のねじ山付きねじ又はボルトは、貫通孔５８、６０及びボス３８、４０から取り外すことができ、レール５０は、レールをヘルメット１０の防弾層１２の外面１４と直交する方向に移動させることにより、プレート３２から切り離すことができる。
【００５０】
一般的に、本明細書に記載される付属品装着システムは、システムに装着された付属品が、付属品装着システムを含むヘルメットが使用されている間に所望の位置及び向きに保持されるように設計される。１つ以上の実施形態において、付属品装着システムは、例えば、木の枝、がれき、ケーブル、コード、ワイヤ、ドア、及び窓フレーム等のユーザーを取り囲む１つ以上の要素にヘルメットが絡まったり引っ掛かったりしないように、所定の力の下でシステムの１つ以上の要素が係合解除するように設計することができる。１つ以上の実施形態において、付属品装着システムは、そのような環境要素に遭遇したときに付属品が装着システムから係合解除するように設計することができる。
【００５１】
１つ以上の実施形態において、付属品７０は、付属品保持力で付属品マウント７２に保持することができる。付属品保持力は、付属品がマウントに接続されたままであるような任意の好適な値の保持力を含むことができる。１つ以上の実施形態において、付属品保持力は、付属品最大保持力を超えない。本明細書において使用する場合、用語「付属品最大保持力」とは、着用者が現場にいるときの付属品に係合し得る典型的な力を受けるときに、付属品がマウントに接続されたままとなるような、付属品７０を付属品マウント７２に保持する力を意味する。更に、１つ以上の実施形態において、付属品マウント７２は、付属品レール５０にマウント保持力で保持することができる。マウント保持力は、任意の好適な値を含むことができる。１つ以上の実施形態において、付属品レール５０は、レール保持力でプレート３２に保持することができる。レール保持力も、任意の好適な値を含むことができる。１つ以上の実施形態において、付属品保持力は、マウントがレールから係合解除される前にマウントから付属品を係合解除できるように、マウント保持力よりも小さい。更に、１つ以上の実施形態において、マウント保持力は、レールがプレート３２から係合解除する前にマウントがレールから係合解除できるように、レール保持力よりも小さくすることができる。
【００５２】
１つ以上の実施形態において、プレート３２は、任意の好適な値とすることができるプレート保持力でヘルメット１０に保持することができる。１つ以上の実施形態において、レール保持力は、プレートがヘルメットから係合解除される前にレールがプレートから係合解除でき、それによって、ヘルメットが恒久的に損傷して交換を必要とすることが防止されるように、プレート保持力よりも小さくすることができる。
【００５３】
本明細書に記載される付属品装着システムの１つ以上の実施形態は、製造業者が現場でシステムをヘルメットに接続できるように、キットとして提供することができる。例えば、図９は、付属品装着システムキット３００の一実施形態の概略平面図である。図１〜図３のヘルメット１０及び付属品装着システム３０に関して記載されるが、キット３００は、任意の好適なヘルメット及び付属品装着システムと共に利用することができる。キット３００は、ヘルメット１０の防弾層１２の外面１４に配置されるように構成されたテンプレート３０２を含む。テンプレートは、防弾層１２の外面１４のうち、レール３２をヘルメット１０に接続するために利用される１つ以上の取り付け要素を位置決めできる部分にユーザを導く１つ以上の開口又はパターンを含むことができる。１つ以上の実施形態において、テンプレートの１つ以上の開口は、ヘルメットの防弾層の実質的に連続した部分を露出させるように構成することができる。
【００５４】
キット３００は、接着剤３０４も含むことができる。プレート３２を防弾層１２の実質的に連続した部分に接続するように構成された、例えば、プライマー、及び接着剤とプライマーとの組み合わせ等の任意の好適な接着剤又は接着剤の組み合わせを含むことができる。キット３００には、防弾層１２の実質的に連続した部分を洗浄するように構成された表面洗浄成分３０６も含むことができる。例えば、イソプロピルアルコール、水、メチルエチルケトン（ＭＥＫ）等の溶媒のような任意の好適な１つ又は複数の表面洗浄成分を利用することができる。
【００５５】
キット３００は、レール３２を防弾層の外面１２に接続することを補助するためにヘルメット１０の防弾層１２の実質的に連続した部分を研磨するように構成された研磨要素３０８も含むことができる。例えば、サンドペーパー、サンディングブロック、すり磨きパッド等の任意の好適な１つ又は複数の研磨要素を含むことができる。キット３００は、プレート３２及び付属品装着レール５０も含む。
【００５６】
更に、１つ以上の実施形態において、キット３００は、プレートがヘルメット１０の防弾層１２の実質的に連続した部分に接続されるときに、ヘルメットに接続され、かつプレート３２に圧力を加えるように構成された固定プレート３１０を含む。固定プレート３１０は、例えば、プレートが防弾層１２に接着されるときに、プレート３２の位置を維持できる任意の好適な固定プレート又はクランプ装置を含むことができる。１つ以上の実施形態において、固定プレート３１０は、固定プレートをヘルメット１０に接続するために１つ以上のボルトを挿入できる１つ以上の貫通孔又は開口を含むことができる。例えば、１つ以上の実施形態において、ヘルメット１０は、固定システムを接続するために利用される１つ以上の貫通孔を含むことができる。これらの貫通孔は、固定システムをヘルメット１０に取り付ける前に固定プレート３１０をヘルメットに接続するために利用することができる。
【００５７】
付属品装着システム３０、３１をヘルメット１０に配置するために、任意の好適な１つ又は複数の技法を利用することができる。例えば、図１１は、ヘルメット装着システム３０をヘルメット１０に配置する一方法４００のフローチャートである。図１〜図３のヘルメット１０及びヘルメット装着システム３０に関して記載されるが、方法４００は、任意のヘルメット及びヘルメット装着システムと共に利用することができる。４０２にて、ヘルメット１０の防弾層１２の外面１４にテンプレート（例えば、キット３００のテンプレート３０２）を配置することができる。テンプレートは、レール３２及びヘルメット１０上の所望の１つ又は複数の位置を位置決めするために利用できる任意の好適なテンプレートを含むことができる。１つ以上の実施形態において、テンプレートは、ヘルメット１０のうちレール３２が位置決めされる所望の位置に位置決めできる１つ以上の開口を含む。１つ又は複数の開口は、防弾層１４のうちレール３２が配置される部分を露出させることができる。１つ以上の実施形態において、露出した部分は、防弾層の実質的に連続した部分である。防弾層１２の外面１４にテンプレートを配置した後、露出した外面は、任意選択的に、例えば、研磨要素（研磨要素３０８）を使用した表面の粗面化、表面洗浄成分（表面洗浄成分３０６）による表面の洗浄等の任意の好適な１つ又は複数の技法を使用して用意することができる。４０４にて、防弾層１４のうちレール３２が接続される露出した部分に接着剤（例えば、キット３００の接着剤３０４）を配置することができる。接着剤は、任意の好適な１つ又は複数の技法を使用してテンプレートの開口を通して配置することができる。４０６にて、プレート３２は、任意の好適な１つ又は複数の技法を使用して防弾層１４の露出した部分に接続することができる。１つ以上の実施形態において、プレート３２は、接着剤を利用して防弾層１２の露出した部分に接続される。４０８にて、任意の好適な１つ又は複数の技法を使用してプレート３２に圧力を加えることができる。例えば、図９のキット３００の固定プレート３１０を利用して、プレート３２に圧力を加えることができる。プレート３２をヘルメット１０に接続するために接着剤が利用される実施形態において、接着剤は、プレートがヘルメットの防弾層１２に恒久的に取り付けられるように、４１０にて任意の好適な１つ又は複数の技法を使用して硬化させることができる。更に、４１２にて、付属品レール５０は、任意の好適な１つ又は複数の技法を使用してプレート３２に接続することができる。
【００５８】
本発明の様々な実施形態としては、以下のものが挙げられる。
【００５９】
実施形態１：付属品装着システムであって、ヘルメットの防弾層の実質的に連続した部分に恒久的に接続されるように構成されたプレートであって、防弾層が外面を有し、プレートが内面及び外面を備え、プレートの内面が、防弾層の外面と接触して配置されるように構成される、プレートと、プレートに取り外し可能に接続されるように構成された付属品レールであって、付属品レールが内面及び外面を備え、付属品レールの内面が、プレートと接触して配置されるように構成される、付属品レールとを備える付属品装着システム。
【００６０】
実施形態２：プレートが、ヘルメットの厚さを貫かない取り付け要素によって、ヘルメットの防弾層の実質的に連続した部分に恒久的に接続されるように構成される、実施形態１に記載のシステム。
【００６１】
実施形態３．  取り付け要素が永久接着剤を備える、実施形態２に記載のシステム。
【００６２】
実施形態４．  取り付け要素が、ヘルメットの防弾層の厚さよりも小さい長さを有するねじ山付きねじを備える、実施形態２〜３のいずれか１つに記載のシステム。
【００６３】
実施形態５．  取り付け要素が、ヘルメットの防弾層の厚さよりも小さい長さを有する返しを備える、実施形態２〜４のいずれか１つに記載のシステム。
【００６４】
実施形態６．  付属品レールの溝に係合し、かつ付属品レールに付属品を接続するように構成された付属品マウントを更に備える、実施形態１〜５のいずれか１つに記載のシステム。
【００６５】
実施形態７．  付属品が付属品マウントに解放可能に接続される、実施形態６に記載のシステム。
【００６６】
実施形態８．  プレートが剛性である、実施形態１〜７のいずれか１つに記載のシステム。
【００６７】
実施形態９．  付属品レールが剛性である、実施形態１〜８のいずれか１つに記載のシステム。
【００６８】
実施形態１０．プレートの内面が、ヘルメットの防弾層の実質的に連続した部分の外面の形状に合致するように構成された形状を備える、実施形態１〜９のいずれか１つに記載のシステム。
【００６９】
実施形態１１．付属品レールが、付属品レールの内面に配置された凹部を備え、この凹部は、プレートを受けるように構成されている、実施形態１〜１０のいずれか１つに記載のシステム。
【００７０】
実施形態１２．付属品レールが、付属品レールを通して配置されたねじ孔及びプレートに配置されたボスを通して挿入されるねじ山付きねじでプレートに接続される、実施形態１〜１１のいずれか１つに記載のシステム。
【００７１】
実施形態１３．プレートに配置されたボスが、ボスがプレートの内面まで延在しないように、プレートの厚さよりも小さい深さを有する、実施形態１２に記載のシステム。
【００７２】
実施形態１４．プレートが、付属品レールの内面に配置されたタブを摺動式に受容するように構成されたスロットを備える、実施形態１〜１３のいずれか１つに記載のシステム。
【００７３】
実施形態１５．防弾層の実質的に連続した部分が、ヘルメットの側部分に配置されている、実施形態１〜１４のいずれか１つに記載のシステム。
【００７４】
実施形態１６．防弾層の実質的に連続した部分が、ヘルメットの前部分に配置されている、実施形態１〜１４のいずれか１つに記載のシステム。
【００７５】
実施形態１７．ヘルメットであって、内面及び外面を備える防弾層と、プレート及びプレートに取り外し可能に接続される付属品レールを備える付属品装着システムであって、プレートが内面及び外面を備え、プレートの内面が、防弾層の実質的に連続した部分に取り付け要素によって恒久的に接続され、付属品レールが内面及び外面を備え、更に、付属品レールがプレートに接続されるときに、付属品レールの内面がプレートと接触する、付属品装着システムと、を備えるヘルメット。
【００７６】
実施形態１８．取り付け要素が防弾層の内面を貫通しない、実施形態１７に記載のヘルメット。
【００７７】
実施形態１９．取り付け要素が接着剤を備える、実施形態１７に記載のヘルメット。
【００７８】
実施形態２０．取り付け要素がねじ山付きねじを備える、実施形態１７に記載のヘルメット。
【００７９】
実施形態２１．防弾層の実質的に連続した部分が、ヘルメットの側部分に配置されている、実施形態１７〜１９のいずれか１つに記載のヘルメット。
【００８０】
実施形態２２．防弾層の実質的に連続した部分が、ヘルメットの前部分に配置されている、実施形態１７〜１９のいずれか１つに記載のヘルメット。
【００８１】
実施形態２３．付属品レールの溝に解放可能に接続される付属品マウントと、付属品マウントに解放可能に接続される付属品とを更に備える、実施形態１７〜２２のいずれか１つに記載のヘルメット。
【００８２】
実施形態２４．付属品が、付属品保持力で付属品マウントに保持され、付属品保持力が付属品最大保持力を超えず、付属品マウントが、マウント保持力で付属品レールに保持され、付属品レールが、レール保持力でプレートに保持され、付属品保持力がマウント保持力よりも小さく、更に、マウント保持力がレール保持力よりも小さい、実施形態２３に記載のヘルメット。
【００８３】
実施形態２５．プレートが、プレート保持力でヘルメットに保持され、レール保持力がプレート保持力よりも小さい、実施形態２４に記載のヘルメット。
【００８４】
実施形態２６．ヘルメットの防弾層の外面にプレートを接続することと、プレートに付属品レールを接続することと、付属品レールに付属品を接続することと、付属品レールから付属品を取り外すことと、付属品レールをヘルメットの防弾層の外面と直交する方向に移動させることにより、プレートから付属品レールを取り外すこととを含む方法。
【００８５】
実施形態２７．ヘルメットの防弾層の部分を露出させる開口を備えるテンプレートを、前記防弾層の外面に配置することと、テンプレートの開口を通して、防弾層の露出した部分に接着剤を配置することと、接着剤を利用して防弾層の露出した部分にプレートを接続することと、プレートに圧力を加えることと、プレートがヘルメットの防弾層に恒久的に取り付けられるように、接着剤を硬化させることとを含む方法。
【００８６】
実施形態２８．付属品装着システムキットであって、ヘルメットの防弾層の外面に配置されるように構成されたテンプレートであって、ヘルメットの防弾層の実質的に連続した部分を露出させるように構成された開口を備える、テンプレートと、接着剤と、ヘルメットの防弾層の実質的に連続した部分を洗浄するように構成された表面洗浄成分と、ヘルメットの防弾層の実質的に連続した部分を研磨するように構成された研磨要素と、ヘルメットの防弾層の実質的に連続した部分に恒久的に接続されるように構成されたプレートと、プレートに取り外し可能に接続されるように構成された付属品レールと、プレートがヘルメットの防弾層の実質的に連続した部分に接続されるときに、ヘルメットに接続され、かつプレートに圧力を加えるように構成された固定プレートとを備える付属品装着システムキット。
【００８７】
本明細書で言及した全ての参考文献及び刊行物は、これらが本開示に直接矛盾し得る場合を除き、これらの全体が参照により本開示に明示的に組み込まれる。本開示の例示的実施形態を検討すると共に本開示の範囲内の可能な変形例を参照してきた。本開示のこれらの及び他の変形例及び変更例は本開示の範囲から逸脱することなく当業者に明らかであろう。本開示は本明細書に記載された例示的実施形態に限定されないことを理解すべきである。したがって、本開示は、下記に提供されている特許請求の範囲によってのみ限定されるべきである。
【図１】
2020502385.tif 000003
【図２】
2020502385.tif 000004
【図３】
2020502385.tif 000005
【図４】
2020502385.tif 000006
【図５】
2020502385.tif 000007
【図６】
2020502385.tif 000008
【図７】
2020502385.tif 000009
【図８】
2020502385.tif 000010
【図９】
2020502385.tif 000011
【図１０】
2020502385.tif 000012
【図１１】
2020502385.tif 000013
【国際調査報告】
2020502385.tif 000014
2020502385.tif 000015